(57)【要約】【課題】回転多面鏡の駆動モータからの熱が光学ベースを介して走査レンズの温度を上昇させても、走査レンズ内の温度分布が略均一になるようにする。【解決手段】走査レンズ５の光学ベース２への取付面５ａと反対側となる取付部対向面５ｂと回転多面鏡３を覆う回転多面鏡カバー４に共に接した状態で跨る熱伝導性部材７を設ける。回転多面鏡３から発生した熱は、光学ベース２と熱伝導性部材７の両方から走査レンズ５の取付面５ａと取付部対向面５ｂに伝わるため、走査レンズ５はその対向する２面から均等に温度上昇される。それにより、走査レンズ５内の温度分布が均一になるので、走査レンズ５内が取付面５ａ側と取付部対向面５ｂ側とで不均一な温度分布になった場合に生じる異常画像の発生を防ぐことができる。【選択図】        図１
2004272142.tif 000002
【特許請求の範囲】
【請求項１】
光学ベース上にレーザビームを偏向走査する回転多面鏡と、該回転多面鏡を覆う回転多面鏡カバーと、前記回転多面鏡により偏向走査されたレーザビームを透過走査して感光体上へ導く走査レンズとをそれぞれ取り付けた光走査装置において、
前記走査レンズの前記光学ベースへの取付面と反対側となる取付部対向面と前記回転多面鏡カバーに共に接した状態で跨る熱伝導性部材を設けたことを特徴とする光走査装置。
【請求項２】
光学ベース上にレーザビームを偏向走査する回転多面鏡と、該回転多面鏡を覆う回転多面鏡カバーと、前記回転多面鏡により偏向走査されたレーザビームを透過走査して感光体上へ導く走査レンズとをそれぞれ取り付けた光走査装置において、
前記走査レンズの前記光学ベースへの取付面と反対側となる取付部対向面に接触状態に熱伝導性部材を設けると共に、熱伝導率の高い材料で形成されて前記回転多面鏡カバーと一体あるいは該回転多面鏡カバーに固定されて前記熱伝導性部材の外側の面に接する板状部材を設けたことを特徴とする光走査装置。
【請求項３】
前記熱伝導性部材は、弾性体で形成されていることを特徴とする請求項１又は２記載の光走査装置。
【請求項４】
請求項１乃至３のいずれか一項に記載の光走査装置を備えたことを特徴とする画像形成装置。
【発明の詳細な説明】
【０００１】
【発明の属する技術分野】
この発明は、光学ベース上に回転多面鏡と走査レンズとが取り付けられ、その回転多面鏡により偏向走査されたレーザビームを走査レンズにより透過走査する光走査装置とそれを備えた画像形成装置に関する。
【０００２】
【従来の技術】
近年、簡易で高品質な印刷方式として電子写真方式が開発され、この方式を利用したものとして、複写機，プリンタ，ファクシミリ等の画像形成装置がある。
このような画像形成装置は、例えば光学ベース上に駆動モータ等により回転される回転多面鏡を配置し、その回転多面鏡の主走査方向に移動する反射面にレーザ光源を対向配置し、そのレーザ光源から出射されたレーザを回転多面鏡の反射面で偏向走査している。そのレーザ光源の主走査光路上には、走査レンズ等の光学系を配置して、その光学系を介した走査光が感光ドラム等の被走査面に走査され、そこに画像が書き込まれている。また、その被走査面が副走査方向に移動することにより、副走査方向にも画像が書き込まれるようになっている。
【０００３】
このような画像形成装置に使用されている走査レンズは、大量生産が可能であって低コストで製作が可能である例えば樹脂製のものが多く使用されている。そして、その走査レンズや回転多面鏡を取付ける光学ベースは、一般的に高剛性であって且つ高精度に形成可能なアルミダイキャスト等の金属ダイキャストで形成されているものが多い。
この光走査装置に設けられている回転多面鏡は、一般的に高速で回転するため、その回転中はそれを駆動している駆動モータからかなりの熱が発生する。そして、その熱は駆動モータを固定している光学ベースを介して走査レンズに伝わるため、それにより走査レンズの温度が上昇する。
その走査レンズは、通常のものは光学ベースのみに取り付けられているため、駆動モータから光学ベースに伝わった熱は走査レンズの光学ベース取付け部から温度上昇していく。したがって、走査レンズは光学ベース取付け部付近の温度が最も高くなり、そこから離れた部分ほど低い温度になるため、走査レンズ内では場所によって温度分布に差ができてしまうようになる。
【０００４】
このように、同じ走査レンズ内において場所によって温度差が生じてしまうと、樹脂製の走査レンズの場合には、その温度上昇により光の屈折率が変化してしまうので、部分的に光学特性の変化が生じてレーザビームにビーム径の太り、あるいは細りが生じたりして、画像の一部に黒スジや黒帯等の異常な部分ができて画像品質が低下してしまうようになる。
【０００５】
【特許文献１】
特開２００１−２６４６６６号公報（第３−４頁、図１）
【０００６】
そこで、従来の光走査装置には、例えば特許文献１に記載されているように、回転多面鏡を回転させる駆動モータと走査レンズとの間に位置する光学ベース部分に貫通穴状あるいは溝状の空隙部を設けることによって、上記駆動モータからの熱が走査レンズに伝わりにくいようにしたものがある。
また、光走査装置の走査レンズ内の温度分布に差が生じにくいようにするため、本出願人は先に特願２００２−３３４０６３号（レーザ走査装置及び該レーザ走査装置を具備する画像形成装置）を出願している。
【０００７】
この光走査装置（レーザ走査装置）は、図９に示すように光学ベース５６の凸部５６Ａ，５６Ｂ，５６Ｃ上に走査レンズ５８を取り付けると共に、発熱源となる駆動モータを有する回転多面鏡も、その光学ベース５６に取り付けている。そして、凸部５６Ａと５６Ｂとの間と、５６Ｂと５６Ｃの間に、熱伝導率の高い材料で形成した熱伝導性部材５０をそれぞれ配置して、その各熱伝導性部材５０が光学ベース５６と走査レンズ５８の両者に接触するようにしている。
それにより、駆動モータから発生した熱は、光学ベース５６の凸部５６Ａ，５６Ｂ，５６Ｃから走査レンズ５８に伝わると共に、各熱伝導性部材５０を介しても走査レンズ５８に伝わるため、走査レンズ５８は略均一に温度上昇する。
【０００８】
また、上記出願の光走査装置には、他の実施形態として図１０に示すように、図９で説明した光走査装置の構成に加えて、さらに走査レンズ５８の光学ベース５６への取付面と反対側の面５１にも熱伝導性部材５０Ａ，５０Ａのそれぞれ一端側を接触させ、各他端側を光学ベース５６に接触させるようにしたものもある。このようにすれば、光学ベース５６側からの熱は熱伝導性部材５０Ａ，５０Ａを介して走査レンズ５８の面５１側にも伝わる。
さらに、異なる他の実施形態として図１１に示すように、走査レンズ５８の面５１上に熱伝導性部材５０Ｂを設け、その熱伝導性部材５０Ｂ上に熱伝導率が高く、高い剛性を有する材料で形成した架橋部材５２を設け、その架橋部材５２の両端部を光学ベース５６にねじ等により固定するようにした光走査装置もある。この光走査装置よれば、架橋部材５２により熱伝導性部材５０Ｂを走査レンズ５８の面５１に密着させることができるので、より伝熱性が向上する。
【０００９】
【発明が解決しようとする課題】
しかしながら、特許文献１に記載の光走査装置の場合には、光学ベースに設けた貫通穴状あるいは溝状の空隙部により熱が走査レンズに伝わりにくくはなるが、走査レンズは光学ベースに取り付けられている部分から温度上昇していくことに変わりはないので、やはり走査レンズ内においては温度分布に差が生じてしまうということがあった。
また、本出願人が先に出願した光走査装置によれば、図９に示したものは上述した従来の光走査装置と同様に走査レンズ内において、引き続き温度分布に差が生じてしまうので不十分であり、図１０，図１１に示したものも走査レンズ５８の光学ベース５６への取付面と反対側の取付部対向面となる面５１側から熱伝導性部材５０Ａや、架橋部材５２及び熱伝導性部材５０Ｂにより伝熱はされるが、走査レンズ５８内の温度の均一性（図１０，図１１で上下方向の均一性）を改善するには、まだ不十分であった。
【００１０】
すなわち、走査レンズ５８の取付面となる下面側は光学ベース５６から直接伝熱されるが、上面側の面５１への伝熱は、光学ベース５６から熱伝導性部材５０Ａや架橋部材５２を介して行われるため、面５１側への伝熱が遠回りになる分だけ走査レンズ５８に伝えられる熱量が少なくなる。したがって、走査レンズ５８内において、引き続き図１０及び図１１の上下方向で温度差が生じてしまうということがあった。
この発明は、上記の問題点に鑑みてなされたものであり、回転多面鏡の駆動モータが発生させた熱が光学ベースを介して走査レンズに伝えられてそれが温度上昇しても、その走査レンズが部分的に温度上昇することなしに全体が略均一な温度分布になるようにすることを目的とする。
【００１１】
【課題を解決するための手段】
この発明は上記の目的を達成するため、光学ベース上にレーザビームを偏向走査する回転多面鏡と、その回転多面鏡を覆う回転多面鏡カバーと、回転多面鏡により偏向走査されたレーザビームを透過走査して感光体上へ導く走査レンズとをそれぞれ取り付けた光走査装置において、上記走査レンズの上記光学ベースへの取付面と反対側となる取付部対向面と上記回転多面鏡カバーに共に接した状態で跨る熱伝導性部材を設けたものである。
また、同様な光走査装置において、走査レンズの光学ベースへの取付面と反対側となる取付部対向面に接触状態に熱伝導性部材を設けると共に、熱伝導率の高い材料で形成されて回転多面鏡カバーと一体あるいはその回転多面鏡カバーに固定されて上記熱伝導性部材の外側の面に接する板状部材を設けるようにしたものである。
そして、上記熱伝導性部材は、弾性体で形成すると効果的である。
さらに、上記いずれかの光走査装置を備えた画像形成装置も提供する。
【００１２】
【発明の実施の形態】
以下、この発明の実施の形態を図面に基づいて説明する。
図１はこの発明の一実施形態例である光走査装置の回転多面鏡付近を示す縦断面図、図２は同じくその光走査装置の回転多面鏡付近を示す平面図、図３はその光走査装置を図２のＡ−Ａ線に沿って断面にした断面図、図４は同じくその光走査装置を搭載した画像形成装置の一例を示す全体概略構成図である。
図４に示す画像形成装置である複写機は、複写機本体４１内に設けている光学読取系４２により読み取った画像データを基にして、光走査装置１が作像系４４に設けているドラム状の感光体４５上に潜像を形成し、その潜像を作像系４４の現像装置４６がトナーにより可視像としている。
複写機本体４１の下部右方には給紙装置２０が設けてあり、その給紙装置２０の給紙カセット４７から給紙した用紙Ｐは垂直搬送路２１を上方に搬送されて作像系４４に至り、そこで感光体４５上の可視像（トナー像）が転写される。
【００１３】
その可視像が転写された用紙Ｐは、定着装置４８に搬送されてそこで可視像が定着された後、排紙ローラ対４９により外部の排紙トレイ６５に排出される。また、両面画像形成時には、用紙Ｐは図示しない排紙分岐爪により反転搬送路６１から両面装置６２へ向けて搬送され、両面トレイ６３に一旦格納された後に進行方向が逆転されて、両面搬送路６４から再び作像系４４に送り込まれて裏面に画像が形成され、定着装置４８を通って排紙トレイ６５上に排出される。
なお、図４では図面を簡略化するため、給紙装置２０は１個のみを示したが、必要に応じて複数個の給紙装置を設けることも可能である。また、この給紙装置を有する画像形成装置は複写機に限るものではなく、ファクシミリ，プリンタ等にも何等支障なく適用することができる。
【００１４】
光走査装置１は、図１に示すように光学ベース２上に６面を有するミラー部６によりレーザビームを偏向走査する回転多面鏡３と、その回転多面鏡３を覆う回転多面鏡カバー４と、回転多面鏡３により偏向走査されたレーザビームを透過走査して感光体４５（図４参照）上へ導く走査レンズ５とをそれぞれ取り付けている。
そして、この光走査装置１は、走査レンズ５の光学ベース２への取付面（図１で下面）５ａと反対側となる取付部対向面５ｂと回転多面鏡カバー４に共に接した状態で跨る熱伝導性部材７を設けている。その熱伝導性部材７は、例えば熱伝導性シリコーンや、熱伝導性ゴムからなるシートやパット状の弾性体で形成する。
【００１５】
光学ベース２は、例えばアルミダイキャストで形成し、そこには回転多面鏡３を取り付けるための開口８を形成し、その開口８内に回転多面鏡３のミラー部６を回転させる駆動モータ部（ポリゴンモータ）９を挿入し、その駆動モータ部９の上部に形成しているフランジ部９ａを開口部上面８ａに設置させ、そのフランジ部９ａを図２に示すように４本のネジ１１により光学ベース２に固定している。
また、その光学ベース２は、上面に例えば樹脂で形成した走査レンズ５を設置するための３つの円形状の凸状部１２ａ，１２ｂ，１２ｃを間隔を置いてそれぞれ形成し、その上面の高さを精度良く揃えている。そして、その各凸状部１２ａ〜１２ｃ上に、図１に示したように走査レンズ５の下面となる取付面５ａをバランス良く配置して接触させている。
この状態で、中央に位置する凸状部１２ｂの周囲に接着剤１３を塗布し、走査レンズ５を光学ベース２に、その高さ方向の精度が高く保たれる状態で固定している。
【００１６】
回転多面鏡カバー４は、回転多面鏡３のミラー部６の全体を覆う大きさに形成されていて、その周方向の一箇所は開口されていて、そこに防音ガラス１４を装着し、その防音ガラス１４の部分をレーザビームが透過できるようにしている。そして、この回転多面鏡カバー４は、この実施の形態では回転多面鏡３のフランジ部９ａを介して光学ベース２に固定するようにしているが、回転多面鏡カバー４を光学ベース２に直接固定する構成にしてもよい。
なお、回転多面鏡カバー４のフランジ部９ａへの固定は、例えば凸部と凹部を係合させて固定するパッチン止めや、ネジ止め等により行う。
【００１７】
走査レンズ５の図１で上側の面となる取付部対向面５ｂには、上述したように熱伝導性部材７を回転多面鏡カバー４に跨るように接触状態で設けている。その熱伝導性部材７の走査レンズ５への固定は、取付金具等を使用して熱伝導性部材７を上側から押えて、その取付金具の両端部を光学ベース２にネジ止め固定したりする。あるいは、光路を遮断しない位置に設けたバネ性を有するコの状のバネ部材で熱伝導性部材７と走査レンズ５とを挾み込んで固定するようにしたものであってもよいし、勿論それ以外の方法を用いてもよい。
同様に、熱伝導性部材７の回転多面鏡カバー４への固定も、取付金具やそれ以外の方法を用いて固定する。
【００１８】
ところで、図９で説明した光走査装置の場合には、回転多面鏡の駆動モータ部を作動させてミラー部を回転させると、その駆動モータ部から発生した熱が光学ベース５６に伝わり、その光学ベース５６に下面が接している走査レンズ５８は下側からのみ温度上昇していくということがあった。そのため、走査レンズ５８内で下面側と上面側とで温度差が生じて走査レンズ内で上下方向に温度分布が生じてしまい、場所によって屈折率等が変化してしまったときには光学特性に影響が出てしまう恐れがあった。
【００１９】
しかしながら、この実施の形態では、図１等で説明したように走査レンズ５の上面側となる取付部対向面５ｂ側には、その取付部対向面５ｂと回転多面鏡カバー４とに共に接した状態で跨る熱伝導性部材７を設けているので、駆動モータ部９から発生して回転多面鏡カバー４に伝わった熱は、その回転多面鏡カバー４に接している熱伝導性部材７を通して走査レンズ５に、上面の取付部対向面５ｂ側からも伝わっていく。
したがって、走査レンズ５は、その上下の両面から熱が伝えられることによって温度上昇していくため、走査レンズ５内で下面と上面とで略均等に温度上昇していく。それにより、走査レンズ５内の上部と下部とで、ほとんど均一な温度分布になる。
【００２０】
このようにして、この実施の形態による光走査装置及びそれを備えた画像形成装置では、回転多面鏡３の駆動モータ部９から発生した熱が熱伝導性部材７により積極的に走査レンズ５に伝熱される。そして、その走査レンズ５は最終的には上部と下部の熱的なバランスがとれたところで全体としての温度が飽和（均衡）してそれ以上の温度上昇はしなくなる。したがって、その走査レンズ５の温度が上昇し過ぎることはない。そのため、熱伝導性部材７を設けることによる熱的な問題は実用上生じない。
また、走査レンズ５に上下から伝熱するため、走査レンズ５の上述した飽和時のレンズの上下温度不均一を防止できるばかりか、その飽和温度に達するまでの間についても走査レンズ５の上部と下部が温度不均一になるのを防止できる。したがって、その飽和温度に達するまでの間においても走査レンズ５の上部と下部が略均一な温度分布になることにより、屈折率等が変化しないため安定した光学特性が得られる。
【００２１】
なお、熱伝導性部材７の板厚は、伝熱性の観点から薄ければ薄いほど良い。但し、それを厚くしても充分な伝熱性は得られるので上記の作用効果を奏する。
また、回転多面鏡カバー４から熱伝導性部材７への伝熱、及び熱伝導性部材７から走査レンズ５への伝熱は、共にそれらの接触面によって行われるので、回転多面鏡カバー４と熱伝導性部材７との接触面積、及び熱伝導性部材７と走査レンズ５との接触面積は、共に大きくするほど熱伝導の効率が良くなる。
【００２２】
また、この実施の形態では、前述したように熱伝導性部材７を弾性体で形成している。
一方、回転多面鏡カバー４や走査レンズ５は剛性体からなる。したがって、弾性体からなる熱伝導性部材７が剛性体の回転多面鏡カバー４の上面に押し付けられて固定されると共に、その熱伝導性部材７が剛性体の走査レンズ５の上面にも押し付けられて固定されるので、それらの接触面は弾性体側の熱伝導性部材７が弾性変形することにより、それぞれ互いの密着性が高まる。
それにより、接触部における熱伝導性が高まるので、走査レンズ５の図１で上下方向の温度分布を、より均一にすることができる。したがって、その走査レンズ５の上部側と下部側とで部分的な温度差が生じた際に、画像形成時に発生しやすい異常画像の発生を防いで、画像品質の低下を防止することができる。
【００２３】
図５はこの発明による光走査装置の他の実施形態の回転多面鏡付近を示す図１と同様な縦断面図、図６は同じくその光走査装置の回転多面鏡付近を示す平面図、図７はその光走査装置を図６のＢ−Ｂ線に沿って断面にした断面図であり、図１乃至図３と対応する部分には同一の符号を付してある。
この実施の形態による光走査装置１０は、図１乃至図３で説明した光走査装置１に対し、熱伝導性部材７の上側に板状部材２５を設けた点のみが異なる。したがって、この光走査装置１０を備えた画像形成装置は、図４で説明した画像形成装置に対して光走査装置１を光走査装置１０に替えただけであるため、その図示及び説明を省略する。
【００２４】
この光走査装置１０は、上述したように、熱伝導性部材７の外側（図５で上側の面）に熱伝導率の高い例えばアルミ材からなる板状部材２５を、熱伝導性部材７に接触状態に設けている。
その板状部材２５は、回転多面鏡カバー４側となる一端側に略熱伝導性部材７の厚さ分の段差部を形成し、その段差部に図５に示すように熱伝導性部材７の一端側を位置させて、熱伝導性部材７を回転多面鏡カバー４の上面と板状部材２５の下面との間に挾み込むようにしている。
そして、その状態で、図６に示すように板状部材２５の端部の２箇所をネジ２６により回転多面鏡カバー４に固定している。その板状部材２５の他端側は、図５に示したように熱伝導性部材７を全て覆うまでの大きさに形成されている。したがって、この板状部材２５がある程度の剛性を有しているようにすれば、板状部材２５の一端を上述したようにネジ２６により回転多面鏡カバー４に固定すれば、その板状部材２５の他端側（図５で右端側）が材料自身の持つ弾性力により熱伝導性部材７を走査レンズ５の上面となる取付部対向面５ｂに押し付ける。
【００２５】
このように、この実施の形態による光走査装置１０は、弾性体からなる熱伝導性部材７よりも熱伝導率が高く剛性も高いアルミ製の板状部材２５によって、熱伝導性部材７が走査レンズ５に押圧されるので、その走査レンズ５と熱伝導性部材７との接触部の密着性が高まる。それにより、その接触部分における接触面積が大きくなるので、回転多面鏡カバー４からの熱が、より走査レンズ５に伝わりやすくなる。したがって、走査レンズ５の取付部対向面５ｂ側の熱伝導性が高まることにより、走査レンズ５の上部側と下部側の温度分布をより均一にすることができる。それにより、異常画像の発生を防いて画像品質の低下を防止することができる。
【００２６】
図８はこの発明による光走査装置のさらに異なる他の実施形態の回転多面鏡付近を示す図５と同様な縦断面図であり、図５と対応する部分には同一の符号を付してある。
この実施の形態による光走査装置３０は、図５で説明した光走査装置１０に対し、異なる形状の回転多面鏡カバー３４を設けると共に、走査レンズ５の上面となる取付部対向面５ｂと略同程度の大きさの小型の熱伝導性部材３７を設けた点のみが異なる。
【００２７】
その回転多面鏡カバー３４は、例えばアルミニュウムで形成されていて、その上面の一部に走査レンズ５の上面まで鍔状に延びる板状部３４ａを有している。そして、図示のように組付時には、板状部３４ａの先端部が走査レンズ５の取付部対向面５ｂに載置した熱伝導性部材３７を押さえつけて、板状部３４ａの先端部が熱伝導性部材３７に密着すると共に、その熱伝導性部材３７が走査レンズ５の取付部対向面５ｂにも密着するようにしている。
この実施の形態によれば、駆動モータ部９から発生した熱は回転多面鏡カバー３４の板状部３４ａを通して直接走査レンズ５の上面の熱伝導性部材３７に伝熱されるので、図５で説明した実施の形態に比べて走査レンズ５への電熱の効率が高まる。
なお、この実施の形態による光走査装置３０は、上述した点のみが図５で説明した光走査装置１０と異なるだけであるため、この図８に示した光走査装置３０を備えた画像形成装置についての図示及び説明は省略する。
【００２８】
【発明の効果】
以上説明したように、この発明による光走査装置とそれを備えた画像形成装置によれば、走査レンズの光学ベースへの取付面と反対側となる取付部対向面と回転多面鏡を覆う回転多面鏡カバーに共に接した状態で跨る熱伝導性部材を設けたので、回転多面鏡から発生した熱は光学ベースと熱伝導性部材の両方から走査レンズの取付面と取付部対向面に伝わるため、走査レンズはその対向する２面から均等に温度上昇される。それにより、走査レンズ内の温度分布が均一になるので、走査レンズ内が取付面側と取付部対向面側とで不均一な温度分布になった場合に生じる異常画像の発生を防ぐことができ、画像品質の低下を防止することができる。
また、その走査レンズ内の温度分布は、温度が飽和したときに均一になるだけではなく、その飽和温度に達するまでの間についても均一になり、走査レンズ内が取付面側と取付部対向面側とで不均一な温度分布になるのを防止することができる。
【図面の簡単な説明】
【図１】この発明の一実施形態例である光走査装置の回転多面鏡付近を示す縦断面図である。
【図２】同じくその光走査装置の回転多面鏡付近を示す平面図である。
【図３】その光走査装置を図２のＡ−Ａ線に沿って断面にした断面図である。
【図４】同じくその光走査装置を搭載した画像形成装置の一例を示す全体概略構成図である。
【図５】この発明による光走査装置の他の実施形態の回転多面鏡付近を示す図１と同様な縦断面図である。
【図６】同じくその光走査装置の回転多面鏡付近を示す平面図である。
【図７】同じくその光走査装置を図６のＢ−Ｂ線に沿って断面にした断面図である。
【図８】この発明による光走査装置のさらに異なる他の実施形態の回転多面鏡付近を示す図５と同様な縦断面図である。
【図９】本出願人が先に出願した走査レンズ内に温度分布差が生じにくいようにした光走査装置の走査レンズ付近を示す縦断面図である。
【図１０】同じくその光走査装置の異なる他の例を示す縦断面図である。
【図１１】同じくその光走査装置のさらに異なる他の例を示す縦断面図である。
【符号の説明】
１，１０，３０：光走査装置    ２：光学ベース
３：回転多面鏡          ４，３４：回転多面鏡カバー
５：走査レンズ          ５ａ：取付面
５ｂ：取付部対向面      ７，３７：熱伝導性部材
３４ａ：板状部（板状部材）    ４５：感光体
【図１】
2004272142.tif 000003
【図２】
2004272142.tif 000004
【図３】
2004272142.tif 000005
【図４】
2004272142.tif 000006
【図５】
2004272142.tif 000007
【図６】
2004272142.tif 000008
【図７】
2004272142.tif 000009
【図８】
2004272142.tif 000010
【図９】
2004272142.tif 000011
【図１０】
2004272142.tif 000012
【図１１】
2004272142.tif 000013